(57)【要約】【課題】組み立ての際の作業性の低下を防止することができる衣類乾燥機を提供する。【解決手段】衣類乾燥機Ｄの筐体２は、天板２０、底板２１、前板２２、後蓋２３、及び、対向する左右の側板２４からなる。前板２２には、筐体２の内部に配置されたドラムに衣類を投入するための衣類投入口２ｂが設けられている。筐体２は、底板２１、前板２２、及び、左右の側板２４からなる筐体ユニット２５を構成し、天板２０、及び、後蓋２３は、筐体ユニット２５に対して着脱自在となっている。【選択図】図３
2020031843.tif 000002
【特許請求の範囲】
【請求項１】
天板、底板、前板、後蓋、及び、対向する左右の側板からなり、衣類を収容して乾燥するドラムが内部に配置され、前記ドラムに衣類を投入するための衣類投入口が前記前板に設けられている衣類乾燥機用筐体であって、
前記底板、前記前板、及び、前記左右の側板は、筐体ユニットを構成し、
前記天板、及び、前記後蓋は、前記筐体ユニットに対し着脱自在であることを特徴とする衣類乾燥機用筐体。
【請求項２】
請求項１に記載の衣類乾燥機用筐体において、
前記筐体ユニットは、前記底板、前記左右の側板、及び、前記左右の側板の間に橋渡しされた補強部材からなる筐体部品と、前記筐体部品に対して着脱自在な前記前板とからなり、
前記補強部材の左右側の端部の各々は、前記左右の側板に固定されていることを特徴とする衣類乾燥機用筐体。
【請求項３】
請求項２に記載の衣類乾燥機用筐体において、
前記補強部材の左右の端部の各々は、前記左右の側板の前側の縁部に固定され、
前記補強部材は、第１係止部を有し、
前記前板は、後側に、前記第１係止部に係止される第１被係止部を有していることを特徴とする衣類乾燥機用筐体。
【請求項４】
請求項２又は請求項３に記載の衣類乾燥機用筐体において、
前記補強部材の左右の端部の各々は、前記左右の側板の前側の縁部の上端に固定され、
前記補強部材は、第２係止部を有し、
前記天板は、前端部に、前記第２係止部に係止される第２被係止部を有していることを特徴とする衣類乾燥機用筐体。
【発明の詳細な説明】
【技術分野】
【０００１】
本発明は、洗濯後の衣類、タオル、シーツ等を乾燥させる衣類乾燥機に用いられる衣類乾燥機用筐体に関する。
【背景技術】
【０００２】
従来、衣類乾燥機用筐体（以下、単に「筐体」ともいう。）の内部に、回転ドラムを配置した衣類乾燥機が知られている（例えば、特許文献１参照）。
【０００３】
この種の衣類乾燥機では、回転ドラムの内部に洗濯後の衣類（いわゆる洗濯物であり、タオル、シーツ等の布製品も含む）を収容した後、回転ドラムの内部に温風を供給しつつ回転ドラムを回転させることによって内部の衣類を乾燥させる。これにより、乾燥中、回転ドラムが回転することにより内部の衣類は定位置に止まることなく常に動いた状態となる。これにより、温風が衣類に満遍なく当たって衣類の乾燥が効率良く進む。
【０００４】
このような衣類乾燥機は、一般に、背面側（後方）が開放された筐体ユニット（すなわち、天板、底板、前板、及び、対向する左右の側板からなる部材）の内部に、後方から内部機器を運び込んで組み付けた後に、その筐体ユニットの背面側に後蓋を固定することによって組み立てられる。
【先行技術文献】
【特許文献】
【０００５】
【特許文献１】特開２０１８−１０２８００号公報
【発明の概要】
【発明が解決しようとする課題】
【０００６】
ところで、特許文献１に記載のような衣類乾燥機では、筐体の内部に内部機器を組み付ける際に、背面側以外を板金等で囲われた空間で組み付け作業を行わなければならず、作業性が低下してしまうという問題があった。例えば、天板によって作業者の頭部の移動が阻害されて、ある程度姿勢が固定された状態で内部機器の組み付け作業を行わなければならないことがあった。
【０００７】
本発明は以上の点に鑑みてなされたものであり、組み立ての際の作業性の低下を防止することができる衣類乾燥機を提供することを目的とする。
【課題を解決するための手段】
【０００８】
本発明の衣類乾燥機用筐体は、
天板、底板、前板、後蓋、及び、対向する左右の側板からなり、衣類を収容して乾燥するドラムが内部に配置され、前記ドラムに衣類を投入するための衣類投入口が前記前板に設けられている衣類乾燥機用筐体であって、
前記底板、前記前板、及び、前記左右の側板は、筐体ユニットを構成し、
前記天板、及び、前記後蓋は、前記筐体ユニットに対し着脱自在であることを特徴とする。
【０００９】
このように、本発明の衣類乾燥機用筐体は、底板、前板、及び、左右の側板によって構成されている筐体ユニットに対し、天板及び後蓋が着脱自在に構成されている。
【００１０】
これにより、この衣類乾燥機用筐体は、筐体ユニットに対する内部機器の組み付けが完了した後に、天板及び後蓋を固定するという順序で組み立てることができる。すなわち、後蓋だけでなく天板も外された状態で、内部機器の組み付けを行うことが可能となっている。その結果、後方だけでなく上方からも筐体の内部空間にアクセスして、組み付け作業を行うことができる。
【００１１】
したがって、この衣類乾燥機用筐体によれば、従来の筐体とは異なり、上方からも筐体の内部空間にアクセスすることができるので、筐体を構成する部品そのものによる作業性の低下を防止することができる。
【００１２】
また、本発明の衣類乾燥機用筐体においては、
前記筐体ユニットは、前記底板、前記左右の側板、及び、前記左右の側板の間に橋渡しされた補強部材からなる筐体部品と、前記筐体部品に対して着脱自在な前記前板とからなり、
前記補強部材の左右側の端部の各々は、前記左右の側板に固定されていることが好ましい。
【００１３】
このように構成すると、底板及び補強部材が左右の側板同士の間隔を保持するので、前板を外して筐体部品のみとしても、左右の側板が底板に対し立設した状態を維持することができる。すなわち、内部機器の組み付けの際に、天板と後蓋だけでなく前板も外した状態とすることができる。これにより、前方からも筐体の内部空間にアクセスして、組み付け作業を行うことができるので、組み立ての際の作業性の低下をさらに防止することができる。
【００１４】
また、本発明の衣類乾燥機用筐体においては、補強部材を備える構成の場合、
前記補強部材の左右の端部の各々は、前記左右の側板の前側の縁部に固定され、
前記補強部材は、第１係止部を有し、
前記前板は、後側に、前記第１係止部に係止される第１被係止部を有していることが好ましい。
【００１５】
このように構成すると、補強部材を介して、前板を筐体部品に対して固定することができる。これにより、前板に対して前面側（前方）からビス止めを行わなくても、前板と筐体部品とを固定することができる。その結果、組み立ての際の作業性の低下を防止するだけでなく、前面側の美観を向上させることができる。
【００１６】
また、本発明の衣類乾燥機用筐体においては、補強部材を備える構成の場合、
前記補強部材の左右の端部の各々は、前記左右の側板の前側の縁部の上端に固定され、
前記補強部材は、第２係止部を有し、
前記天板は、前端部に、前記第２係止部に係止される第２被係止部を有していることが好ましい。
【００１７】
このように構成すると、天板の前側の端縁が補強部材によって補強されることになる。これにより、天板のたわみを抑制して、隙間の発生を抑制することができるようになるので、前面及び上面の美観の向上を図ることができる。また、隙間からの埃等の侵入も抑制することができる。
【図面の簡単な説明】
【００１８】
【図１】本発明の実施形態に係る衣類乾燥機の構成を模式的に示す縦断面図。
【図２】図１の衣類乾燥機の筐体の形状を示す前方から見た斜視図。
【図３】図２の筐体を構成する筐体ユニット、及び、天板を前方から見た斜視図。
【図４】図２の筐体を構成する筐体ユニット、及び、天板を後方から見た斜視図。
【図５】図３及び図４の筐体ユニットを構成する筐体部品及び前板、並びに、天板を前方から見た斜視図。
【図６】図５の筐体部品の上端前板側の拡大図。
【発明を実施するための形態】
【００１９】
以下、図面を参照して、実施形態に係る衣類乾燥機用筐体である筐体２を備える衣類乾燥機Ｄについて説明する。
【００２０】
まず、図１を参照して、衣類乾燥機Ｄの概略構成について説明する。
【００２１】
図１に示すように、衣類乾燥機Ｄは、衣類Ｗ（いわゆる洗濯物であり、タオル、シーツ等の布製品も含む）を収容して回転しつつ乾燥する回転ドラム１を備えている。回転ドラム１は、回動自在な状態で筐体２（衣類乾燥機用筐体）の内部に設けられている。
【００２２】
筐体２の背面壁２ａには、正面に向かって延びる支持軸３が設けられている。支持軸３には、回転ドラム１が備えるドラム回転軸１ａが回転自在に装着されている。これにより、回転ドラム１は、横倒姿勢（軸線が水平方向となる姿勢）に設けられている。
【００２３】
回転ドラム１の前端には、正面開放部１ｂが形成されている。回転ドラム１の正面開放部１ｂに対応する筐体２の正面側には、片開き式の扉４で覆われた衣類投入口２ｂが設けられている。筐体２の衣類投入口２ｂの外周には、リング板５が装着されている。リング板５には、回転ドラム１が正面開放部１ｂを介して回動自在な状態で支持されている。
【００２４】
回転ドラム１の奥壁１ｃには、前述したドラム回転軸１ａが設けられている。ドラム回転軸１ａの回転ドラム１の内部側の端部には、フィルタユニット６が取り付けられている。また、ドラム回転軸１ａの回転ドラム１の外側の端部には、軸支された回転ドラム１の奥壁１ｃを補強するための補強板１ｄが取り付けられている。
【００２５】
回転ドラム１の奥壁１ｃの外側には、回転ドラム１内の空気を筐体２の外部に導く排気路７が設けられている。排気路７は、回転ドラム１の奥壁１ｃと筐体２の背面壁２ａとの間に位置している。排気路７の下流端には、筐体２の上部で開口する排気口７ａが設けられている。排気路７の上流側には、内部に排湿ファン８ａを収容したファンケース８ｂが設けられている。排湿ファン８ａは、支持軸３に回転自在に支持されたファン回転軸８ｃを備えている。
【００２６】
排湿ファン８ａは、衣類Ｗの乾燥に伴い高湿度となった回転ドラム１内の空気を排出するとともに、回転ドラム１の内部に温風を引き込む気流を発生させる。すなわち、排湿ファン８ａが回転すると、外気が筐体２の底部に形成されている給気口２ｃから筐体２の内部に取り込まれる。筐体２の内部に取り込まれた外気は、後述するガスバーナ１０ａの炎に加熱されて温風となり、後述する温風ダクト１１を通って回転ドラム１の内部に送られる。そして、回転ドラム１の内部で衣類Ｗの湿気を吸収した温風は、フィルタユニット６を通過して排気路７へ向かい、排気口７ａから筐体２の外部に排出される。
【００２７】
筐体２の内部には、回転ドラム１及び排湿ファン８ａを回転させるためのモータ９と、外気を加熱して温風を生成する燃焼ユニット１０と、温風を回転ドラム１の内部へ導く温風ダクト１１とが設けられている。さらに、乾燥運転時にモータ９の駆動、燃焼ユニット１０の点消火動作等を制御するコントローラ１２が設けられている。
【００２８】
モータ９は、二つの駆動軸（第１駆動軸９ａ及び第２駆動軸９ｂ）を備えている。第１駆動軸９ａの回転力は、第１伝動ベルト９ｃを介して回転ドラム１に伝達され、回転ドラム１を回転させる。回転ドラム１の回転は、内部に収容されている衣類Ｗを定位置に止めることなく常に動かすために行われる。第２駆動軸９ｂの回転力は、第２伝動ベルト９ｄを介して排湿ファン８ａのファン回転軸８ｃに伝達され、排湿ファン８ａを回転させる。排湿ファン８ａの回転により、回転ドラム１の内部に気流が形成される。
【００２９】
燃焼ユニット１０は、ガスバーナ１０ａ、ガス噴射ノズル１０ｂ、及び、ガス供給弁装置１０ｃを備えることにより構成されている。ガス供給弁装置１０ｃから供給された燃料ガスは、ガス噴射ノズル１０ｂからガスバーナ１０ａのガス入口１０ｄへ向けて噴射される。これにより、燃料ガスがガス入口１０ｄ周辺の空気とともにガスバーナ１０ａに導かれて燃焼し、外気が加熱される。なお、ガスバーナ１０ａに供給する燃焼用空気も、加熱するための空気と同じく筐体２の底部の給気口２ｃから取り込まれる。
【００３０】
温風ダクト１１は、ガスバーナ１０ａの上方からリング板５に形成された温風出口５ａまで延設されている。ガスバーナ１０ａにより加熱生成された温風は、温風ダクト１１を通って温風出口５ａへ導かれ、回転ドラム１内に送り込まれる。
【００３１】
回転ドラム１の内部に送り込まれた温風は、回転ドラム１に収容されている衣類Ｗを乾燥させた後、フィルタユニット６を通過して排湿ファン８ａへ向かう。このとき、衣類Ｗから発生した糸屑類がフィルタユニット６に捕捉される。
【００３２】
フィルタユニット６を経て排湿ファン８ａへ向かった高湿温風は、排湿ファン８ａの正面側から入って排湿ファン８ａの外周に向かい、排気路７に集約されて排気口７ａから機外に排出される。
【００３３】
コントローラ１２の前面側の下方部には、乾燥運転時にモータ９の駆動、燃焼ユニット１０の点消火動作等に関する制御を選択するための操作パネル１２ａが設けられている。
【００３４】
次に、図２〜図５を参照して、衣類乾燥機Ｄの筐体２（衣類乾燥機用筐体）の構成、及び、その組み立て方法について、詳細に説明する。
【００３５】
図２に示すように、筐体２は、略立方体をしており、天板２０、底板２１（図２では不図示。図４及び図５参照。）、前板２２、後蓋２３、及び、対向する左右一対の側板２４により構成されている。なお、左右の側板２４は、対向するように設けられているものであればよく、対象となる形状、又は、同一の形状であってもよいし、左右で異なる形状であってもよい。
【００３６】
前述のように、前板２２の下方部には、操作パネル１２ａが設けられている。また、前板２２の中央には、組み立て後に筐体２の内部に位置する回転ドラム１に衣類を投入するための衣類投入口２ｂが設けられている。衣類投入口２ｂは、片開き式の扉４で覆われている。また、後蓋２３は、前述の背面壁２ａを構成している。
【００３７】
図３及び図４に示すように、底板２１、前板２２、及び、一対の側板２４は、１つのユニットである筐体ユニット２５を構成している。天板２０及び後蓋２３（図２参照）は、筐体ユニット２５に対して着脱自在となっている。
【００３８】
これにより、筐体２は、筐体ユニット２５に対する内部機器の組み付けが完了した後に、天板２０及び後蓋２３を固定するという順序で組み立てることができる。すなわち、後蓋２３だけでなく天板２０も外された状態で、内部機器の組み付けを行うことが可能となっている。その結果、後方だけでなく上方からも筐体２の内部空間にアクセスして、組み付け作業を行うことができる。
【００３９】
さらに、図５に示すように、一対の側板２４の間には、細長い略板状の部品である補強部材２６が橋渡しされている。
【００４０】
具体的には、一対の側板２４の一方の前板２２側の端縁から、板状の第１縁部２４ａが、その端縁に沿うようにして内側に向かって延設されている。その第１縁部２４ａの上端には、補強部材２６の一方側の端部である第１端部２６ａが固定されている。
【００４１】
また、一対の側板２４の他方の前板２２側の端縁から、板状の第２縁部２４ｂが、その端縁に沿うようにして内側に向かって延設されている。その第２縁部２４ｂの上端には、補強部材２６の他方側の端部である第２端部２６ｂが固定されている。
【００４２】
底板２１、一対の側板２４、及び、補強部材２６は、１つの部品である筐体部品２７を構成している。前板２２は、後述するように補強部材２６を介して、筐体部品２７に対して着脱自在に構成されている。
【００４３】
これにより、筐体２は、内部機器の組み付けの際に、天板２０及び後蓋２３だけでなく前板２２も外した状態とすることができる。これにより、前方からも筐体２の内部空間にアクセスして、組み付け作業を行うことができる。
【００４４】
したがって、筐体２によれば、従来の筐体とは異なり、上方及び前方からも筐体の内部空間にアクセスして、組み付け作業を行うことができるので、筐体２を構成する部品そのもの（例えば、天板２０等）による作業性の低下を防止することができる。
【００４５】
なお、筐体２では、筐体ユニット２５を、筐体部品２７と、筐体部品２７に着脱自在な前板２２とで構成している。しかし、本発明の衣類乾燥機用筐体は、そのような構成に限定されるものではなく、筐体ユニットを単一の部材として構成してもよい。すなわち、筐体部品に対して前板を着脱自在に構成しなくてもよい。
【００４６】
ところで、図６に示すように、補強部材２６は、細長い略板状の部品として構成されている。具体的には、補強部材２６では、両端部である第１端部２６ａと第２端部２６ｂとの間に、板状の部材である本体部２６ｃ（第１係止部）が設けられている。
【００４７】
補強部材２６両端部に設けられている第１端部２６ａ及び第２端部２６ｂを一対の側板２４に対して固定した際には、本体部２６ｃは、一対の側板２４の上縁から上方に向かって突出するように立設した状態になる。
【００４８】
一方、図４及び図６に示すように、前板２２は、その上縁部から後方（後蓋２３側）に向かって延設部２２ａが延設されている。延設部２２ａの上面の高さは、筐体部品２７に天板２０を装着した際における天板２０の上面の高さに対応する高さとなっている。そのため、延設部２２ａの上面は、天板２０の上面とともに、筐体２の上面を形成する（図２参照）。また、延設部２２ａの下面側には、板状の第１被係止部２２ｂが、下方に向かって延設されている。
【００４９】
そして、筐体部品２７では、第１被係止部２２ｂを補強部材２６の本体部２６ｃに上方から掛止させることによって、前板２２を筐体部品２７に係止させて取り付ける。すなわち、前板２２は、補強部材２６を介して、筐体部品２７に固定されている。
【００５０】
これにより、筐体部品２７（ひいては、筐体２）では、前板２２に対して前面側からビス止めを行わなくても、前板２２と筐体部品２７とを固定することができるようになっている。その結果、筐体２では、組み立ての際の作業性の低下を防止するだけでなく、前面側の美観を向上させることができるようになっている。
【００５１】
なお、筐体２では、上述のようにして筐体部品２７に前板２２を取り付けた後、補強部材２６の本体部２６ｃ、並びに、側板２４の第１縁部２４ａ及び第２縁部２４ｂの後方からビス止めを行って、前板２２を筐体部品２７に対して固定している。これは、筐体部品２７に対して前板２２を強固に固定するためである。
【００５２】
そのため、係止による固定で充分である場合には、このようなビス止めを省略してもよい。逆に、係止による固定を省略し、ビス止めのみによって、補強部材２６に対して前板２２を固定してもよい。
【００５３】
また、図６に示すように、補強部材２６の本体部２６ｃの両端部の各々には、左右方向に延びる細長い孔である第２係止部２６ｄが設けられている。また、本体部２６ｃの下端からは、板状の載置部２６ｅが、後方に向かって延設されている。
【００５４】
さらに、図３及び図４に示すように、一対の側板２４の一方の天板２０側の端縁からは、板状の第３縁部２４ｃが、その端縁に沿うようにして内側に向かって延設されている。第３縁部２４ｃの中央部には、前後方向に延びる細長い孔である第３係止部２４ｄが設けられている。
【００５５】
また、一対の側板２４の他方の天板２０側の端縁からは、板状の第４縁部２４ｅが、その端縁に沿うようにして内側に向かって延設されている。第４縁部２４ｅの中央部には、前後方向に延びる細長い孔である第４係止部２４ｆが設けられている。
【００５６】
一方、図３、図５及び図６に示すように、天板２０は、略平板上の天井部２０ａと、天井部２０ａの前方（前板２２側）の端縁から下方に向かって延設された前端部２０ｂと、天井部２０ａの両側の各々から下方に向かって延設された一対の側面部２０ｃとを有している。
【００５７】
前端部２０ｂの端面の下縁部の補強部材２６の第２係止部２６ｄに対応する位置には、前方に向かって延設された板状の第１係止突起２０ｄ（第２被係止部）が設けられている。
【００５８】
一対の側面部２０ｃの下端には、筐体部品２７に天板２０を装着した際に一対の側板２４の第３係止部２４ｄ及び第４係止部２４ｆに対応する位置の各々に、下方に向かって延設された板状の第２係止突起２０ｅ（第３係止部、第４係止部）が設けられている。
【００５９】
そして、筐体２では、筐体ユニット２５に天板２０を取り付ける際には、まず、第２係止突起２０ｅを第３係止部２４ｄ及び第４係止部２４ｆに挿入する。その後、天板２０全体を前方に向かってスライドさせることにより、第１係止突起２０ｄを第２係止部２６ｄに挿入させるとともに、前端部２０ｂを補強部材２６の本体部２６ｃに当接させる。このとき、前端部２０ｂは、補強部材２６の載置部２６ｅに載置された状態になる。
【００６０】
これにより、天板２０の前側の端縁が補強部材２６によって補強されることになる。その結果、天板２０のたわみを抑制して、隙間の発生を抑制することができるようになるので、筐体２の前面及び上面の美観の向上を図ることができる。また、隙間からの埃等の侵入も抑制することができる。
【００６１】
なお、筐体２では、上述のようにして筐体ユニット２５に天板２０を取り付けた後、天板２０の前端部２０ｂの後方からビス止めを行って、天板２０を筐体ユニット２５に対して固定している。これは、筐体ユニット２５に対して天板２０を強固に固定するためである。
【００６２】
そのため、係止による固定で充分である場合には、このようなビス止めを省略してもよい。逆に、係止による固定を省略し、ビス止めのみによって、補強部材２６に対して天板２０を固定してもよい。
【００６３】
また、筐体２は、第２係止突起２０ｅを第３係止部２４ｄ及び第４係止部２４ｆに挿入することによって、筐体ユニット２５に対する天板２０の位置決めを容易に行うことができるように構成されている。しかし、位置決めの手段が別途設けられている場合には、第２係止突起２０ｅ、第３係止部２４ｄ及び第４係止部２４ｆを省略してもよい。
【００６４】
以上、図示の実施形態について説明したが、本発明はこのような形態に限られるものではない。
【００６５】
例えば、上記実施形態では、本実施形態の筐体２では、補強部材２６を介することによって、筐体部品２７に対して前板２２を係止させて装着するように構成されている。これは、筐体部品２７に対して前板２２を容易に着脱することができるようにするとともに、前面側にビス止めが見えないようにして、美観を向上させるためである。
【００６６】
しかし、本発明の衣類乾燥機用筐体は、そのような構成に限定されるものではなく、補強部材を介さずに、筐体部品に対して前板を着脱自在としてもよい。例えば、ビス止め用の孔及びその孔を閉塞するための部品を用いる場合には、補強部材を省略してビス止めのみによって、筐体部品に対して前板を装着してもよい。
【００６７】
なお、筐体２では、補強部材２６は、底板２１とともに左右一対の側板２４同士の間隔を保持している。そのため、筐体２では、前板２２を外して筐体部品２７のみとしても、一対の側板２４が底板２１に対し立設した状態を維持することができるようになっている。
【００６８】
そのため、補強部材を省略する場合には、左右の側板同士の間隔を保持して、左右の側板が底板に対して立設した状態を維持することができる手段を別途設けることが好ましい。例えば、左右の側板と前板を一体的に構成した１つの部品として構成して、その部品に対して底板を着脱自在にしてもよい。
【００６９】
また、本実施形態の筐体２では、補強部材２６は、前板２２及び天板２０を容易に着脱自在にするために用いられている。そのため、補強部材２６の一方側の端部である第１端部２６ａは、左右一対の側板２４の一方の前板２２側の第１縁部２４ａの上端に固定されており、補強部材２６の他方側の端部である第２端部２６ｂは、一対の側板２４の他方の前板２２側の第２縁部２４ｂの上端に固定されている。
【００７０】
しかし、本発明の衣類乾燥機用筐体は、そのような構成に限定されるものではなく、補強部材は、左右の側板の間に橋渡しされていればよい。具体的には、補強部材の左右の端部の各々は、左右の側板に固定されていればよい。例えば、前板及び天板を補強部材に係止しない構成の場合には、前板を左右の側板の上縁よりも下方であって、前後方向の中央部に位置させてもよい。
【符号の説明】
【００７１】
１…回転ドラム、１ａ…ドラム回転軸、１ｂ…正面開放部、１ｃ…奥壁、１ｄ…補強板、２…筐体（衣類乾燥機用筐体）、２ａ…背面壁、２ｂ…衣類投入口、２ｃ…給気口、３…支持軸、４…扉、５…リング板、５ａ…温風出口、６…フィルタユニット、７…排気路、７ａ…排気口、８ａ…排湿ファン、８ｂ…ファンケース、８ｃ…ファン回転軸、９…モータ、９ａ…第１駆動軸、９ｂ…第２駆動軸、９ｃ…第１伝動ベルト、９ｄ…第２伝動ベルト、１０…燃焼ユニット、１０ａ…ガスバーナ、１０ｂ…ガス噴射ノズル、１０ｃ…ガス供給弁装置、１０ｄ…ガス入口、１１…温風ダクト、１２…コントローラ、１２ａ…操作パネル、２０…天板、２０ａ…天井部、２０ｂ…前端部、２０ｃ…側面部、２０ｄ…第１係止突起（第２被係止部）、２０ｅ…第２係止突起（第３被係止部、第４被係止部）、２１…底板、２２…前板、２２ａ…延設部、２２ｂ…第１被係止部、２３…後蓋、２４…側板、２４ａ…第１縁部、２４ｂ…第２縁部、２４ｃ…第３縁部、２４ｄ…第３係止部、２４ｅ…第４縁部、２４ｆ…第４係止部、２５…筐体ユニット、２６…補強部材、２６ａ…第１端部、２６ｂ…第２端部、２６ｃ…本体部（第１係止部）、２６ｄ…第２係止部、２６ｅ…載置部、２７…筐体部品、Ｄ…衣類乾燥機、Ｗ…衣類。
【図１】
2020031843.tif 000003
【図２】
2020031843.tif 000004
【図３】
2020031843.tif 000005
【図４】
2020031843.tif 000006
【図５】
2020031843.tif 000007
【図６】
2020031843.tif 000008